(57)【要約】【課題】簡単な構造でワンタッチで組み立てられ、収容物を確実に緩衝的に保護することができる包装用箱を提供する。【解決手段】一枚のブランクシートから一体的に打ち抜かれた箱体形成片１２から成り、互いに連接された側面１４，１６，１８，２０と、箱体の内側の空間を仕切る仕切構成部３６を有する。箱体形成片１２が組立状態で、箱体の一開口端部を閉鎖する第１底蓋片６４と、第１底蓋片６４に対向する側面から延出した第２底蓋片１１６を備える。第１底蓋片６４と第２底蓋片１１６には、隣接する他方の底フラップ８４，１３６に糊付けされる糊付け片６８，１２０を備える。第１底蓋片６４または第２底蓋片１１６の端部には、裏面に折り返されて二重の底を形成する緩衝片７２，１２４を備える。【選択図】図１
2012006645.tif 000002
【特許請求の範囲】
【請求項１】
一枚のブランクシートから一体的に打ち抜かれた箱体形成片から成り、前記箱体形成片には、互いに連接された側面と、前記箱体形成片が組立状態のとき前記連接された側面で形成される箱体の一開口端部を閉鎖する底部分が設けられ、前記底部分は、前記一側面に連接し前記底部分の一部を覆う第１底蓋片と、この第１底蓋片の両側の側面から延出した一対の底フラップと、この第１底蓋片に対向する側面から延出した第２底蓋片と、前記第１底蓋片と第２底蓋片に形成され隣接する一方の前記底フラップに糊付けされる糊付け片が設けられ、第１底蓋片または第２底蓋片の端部には、第１底蓋片または第２底蓋片の裏面に折り返されて二重の底を形成する緩衝片が折罫線で区切られて設けられていることを特徴とする包装用箱。
【請求項２】
前記緩衝片は、前記第１底蓋片または第２底蓋片よりも小さく設けられ、前記緩衝片を区切る折罫線の途中には、前記緩衝片側へ突出するコの字形の切込線が設けられ、前記切込線の内側部分は、前記包装用箱の組立状態で前記第１底蓋片または前記第２底蓋片と面一に側方へ突出し、対向する前記第２底蓋片または前記第１底蓋片に重ねられ係止される差込片となる請求項１記載の包装用箱。
【請求項３】
前記緩衝片は、前記第１底蓋片と第２底蓋片に各々設けられ、前記緩衝片には、凹凸のあるエンボス加工が施されている請求項１記載の包装用箱。
【請求項４】
前記包装用箱には、箱体形成片が組立状態のとき前記連接された側面で形成される箱体の内側の空間を仕切る仕切構成部が設けられていることを特徴とする請求項１記載の包装用箱。
【発明の詳細な説明】
【技術分野】
【０００１】
この発明は、複数の同形の商品を各々区切って収容し、保管や運搬を行う包装用箱に関する。
【背景技術】
【０００２】
従来、紙製の一枚のブランクシートから一体的に打ち抜かれた箱体形成片を折り曲げて糊付けし、ワンタッチで引き起こして組立可能な包装用箱がある。例えば、特許文献１に開示されている仕切付包装用箱は、箱体を形成する側面に連接して箱体の内側空間を仕切る仕切り片が設けられ、また底部に連接して、前記仕切片に沿って立設する立上片が設けられている。
【０００３】
また、特許文献２に開示されている包装用箱は、緩衝用の仕切り片が、包装用箱の組立状態で底部分から略直角に立ち上がる立上片と、前記立上片に連続し前記底部分に対して略平行に位置する上面片と、前記上面片に連続し箱体の側面に糊付けされる仕切り用糊付け片が互いに折罫線で区切られて設けられ、包装用箱の組立状態で箱形に組み立てられている。前記立上片と前記上面片の間の折罫線上には、収容物が嵌合される打ち抜き部が形成されている。
【先行技術文献】
【特許文献】
【０００４】
【特許文献１】特開平１０−７７０２６号公報
【特許文献２】特開２００８−５６２６２号公報
【発明の概要】
【発明が解決しようとする課題】
【０００５】
上記特許文献１の場合、商品を水平方向に緩衝的に保護するものであり、垂直方向に緩衝的に保護することは考えられていなかった。特許文献２の場合、緩衝用の仕切り片が箱形に組み立てられ水平方向と垂直方向に緩衝的に保護することが考えられているが、緩衝用の仕切り片が箱形であるため、収容物に対して箱の高さが大きくなり、かさばるという問題がある。
【０００６】
この発明は、上記背景技術の問題点に鑑みてなされたものであり、簡単な構造でワンタッチで組み立てられ、収容物を確実に緩衝的に保護することができる包装用箱を提供することを目的とする。
【課題を解決するための手段】
【０００７】
本発明は、一枚のブランクシートから一体的に打ち抜かれた箱体形成片から成り、前記箱体形成片には、互いに連接された側面と、前記箱体形成片が組立状態のとき前記連接された側面で形成される箱体の内側の空間を仕切る仕切構成部と、前記箱体形成片が組立状態のとき前記連接された側面で形成される箱体の一開口端部を閉鎖する底部分が設けられている包装用箱である。前記底部分は、前記一側面に連接し前記底部分の一部を覆う第１底蓋片と、この第１底蓋片の両側の側面から延出した一対の底フラップと、この第１底蓋片に対向する側面から延出した第２底蓋片が設けられ、前記第１底蓋片と第２底蓋片には、隣接する一方の前記底フラップに糊付けされる糊付け片が設けられている。第１底蓋片または第２底蓋片の端部には、第１底蓋片または第２底蓋片の裏面に折り返されて二重の底を形成する緩衝片が折罫線で区切られて設けられているものである。
【０００８】
さらに、前記緩衝片は、前記第１底蓋片または第２底蓋片よりも少し小さく設けられ、前記緩衝片を区切る折罫線の途中には、緩衝片側へ突出するコの字形の切込線が設けられている。前記切込線の内側部分は、包装用箱の組立状態で第１底蓋片または第２底蓋片と面一に側方へ突出し、対向する第２底蓋片または第１底蓋片に重ねられ係止される差込片となる。前記緩衝片は、前記第１底蓋片と第２底蓋片に各々設けられているものでも良い。また、前記緩衝片には、凹凸のあるエンボス加工が施されているものでも良い。
【発明の効果】
【０００９】
本発明の包装用箱は、簡単な作業工程により組み立てられ、コンパクトな形状で、底部に緩衝片を設けて二重の底を設けて、確実に収容物を垂直方向に緩衝的に保持しながら保管や輸送を行うことができる。
【図面の簡単な説明】
【００１０】
【図１】この発明の第一実施形態の包装用箱の部分破断斜視図である。
【図２】この発明の第一実施形態の包装用箱の展開図である。
【図３】この発明の第二実施形態の包装用箱の部分破断斜視図である。
【図４】この発明の第二実施形態の包装用箱の展開図である。
【発明を実施するための形態】
【００１１】
以下、この発明の実施形態について図面に基づいて説明する。図１、図２はこの発明の第一実施形態を示すもので、この実施形態の包装用箱１０は、厚紙などの一枚のブランクシートを打ち抜いて形成された箱体形成片１２を組み立てて形成されている。
【００１２】
図２は、箱体形成片１２を表面から見た展開図であり、箱体形成片１２は側面１４，１６，１８，２０が互いに平行に連接して設けられている。側面１４，１６，１８，２０は、連接している幅方向は同じ長さであり、連接方向の長さは側面１４，１８が長くて互いにほぼ等しく、側面１６，２０はやや短くて互いにほぼ等しい。さらに側面１４の側縁部には、包装用箱１０の組立状態で側面２０の裏面に糊付けされる糊付片２２が設けられている。糊付片２２、側面１４，１６，１８，２０は、各々折罫線２４，２６，２８，３０で区切られている。
【００１３】
糊付片２２の側方に、側面１４，１８よりわずかに小さい中央仕切板３２が、折罫線３４で区切られて一体に連接して形成されている。中央仕切板３２の上端部には、仕切構成部３６が、折罫線３８で区切られて設けられている。仕切構成部３６は、折罫線３８に隣接して板状の折返片４０が形成され、折返片４０から４個のくの字形の仕切片４２が形成されている。４個の仕切片４２は互いに平行に隣接し、各仕切片４２は切込線４４で各々区切られ、各切込線４４は、中央仕切板３２をほぼ５等分する位置に形成されている。仕切片４２の端部には、折罫線３８に対して平行な長辺を有する矩形の１枚の仕切支持片４６が設けられている。そして、各切込線４４は、仕切支持片４６の端部付近に達し、各切込線４４の先端部分は仕切支持片４６の端部と平行になっている。各切込線４４の仕切支持片４６側の端部から、折罫線３８に向かって折罫線３８に対して直角に切込線４８が設けられ、切込線４８と切込線４４の間には、上下共に切残部が設けられている。また、各切込線４４の折罫線３８側の端部から、折罫線３８に対して直角に離れる方向へ延出する折罫線５０が、隣接する切込線４４に達して形成されている。
【００１４】
中央仕切板３２の中央付近には、折罫線３８に対して平行な折罫線５２が設けられ、中央仕切板３２をほぼ２分割している。折罫線５２の、糊付片２２に近い端部は、折罫線３４近傍で止められ、折罫線５２のこの端部には、折罫線３４に対して平行な切込線５４が設けられ、切込線５４は折罫線３８と反対の下端部３２ａに達している。中央仕切板３２の下端部３２ａは、糊付片２２側の角部が切り欠かれている。糊付片２２も、中央仕切板３２の下端部３２ａに沿って、側面１４から離れるに従い上方に向かう斜め線に切り欠かれている。
【００１５】
側面１４の、中央仕切板３２の折罫線３８に隣接する端部には、上蓋片５６が折罫線５８で区切られて設けられている。上蓋片５６の、折罫線５８と反対側の端部には、さらに差込片６０が折罫線６２で区切られて設けられている。側面１４の、折罫線５８と反対側の端部には、第１底蓋片６４が折罫線６６で区切られて設けられている。第１底蓋片６４は、折罫線６６を下底とする台形状に形成され、折罫線６６から折罫線６６に対して平行な上底である端部６４ａまでの長さは、包装用箱１０の組立状態で底部分の中心線付近に位置する長さである側面１６，２０の約半分の幅に設けられている。第１底蓋片６４の、側面１６に隣接する傾斜した側縁部には、略三角形の底部糊付け片６８が折罫線７０で区切られて設けられている。さらに、第１底蓋片６４の端部６４ａには、緩衝片７２が折罫線７４で区切られて設けられている。緩衝片７２は、折罫線７４を上底とする台形に形成され、高さは第１底蓋片６４よりも小さい。折罫線７４の途中には、緩衝片７２側へ突出するコの字形の切込線７６が設けられている。切込線７６の内側部分は、包装用箱１０の組立状態で第１底蓋片６４と面一に側方へ突出する差込片７８となる。
【００１６】
側面１６の、側面１４の折罫線５８に隣接する端部には、台形状の上フラップ８０が折罫線８２で区切られて設けられている。側面１６の、折罫線８２と反対側の端部には、略三角形状の底フラップ８４が折罫線８６で区切られて設けられている。底フラップ８４の、側面１４に隣接する傾斜した側縁部には、折罫線８６に対して平行な側縁部を形成する段部８８が設けられている。
【００１７】
側面１８の、側面１６の折罫線８２に隣接する端部には、折返片９０が折罫線９２で区切られて設けられている。折返片９０は、側面１８よりも少し小さい矩形である。折罫線９２上には、破断線９４が矩形を描いて形成され、破断線９４の、折返片９０に位置する部分には透孔９６が形成されている。
【００１８】
折返片９０の、折罫線９２と反対側の端部９０ａには、仕切構成部９８が折罫線１００で区切られて設けられている。仕切構成部９８は、折罫線１００から４個の逆くの字形の仕切片１０２が形成され、４個の仕切片１０２は互いに平行に隣接し、各仕切片１０２は切込線１０４で各々区切られ、各切込線１０４は、折罫線１００をほぼ５等分する位置から折罫線１００に沿って形成され、そして曲線になって折罫線１００から離れている。仕切片１０２の端部には、折罫線１００に対して平行な長辺を有する矩形の１枚の仕切支持片１０６が設けられている。そして、各切込線１０４は、仕切支持片１０６の端部付近に達し、折罫線１００に対して直角な折罫線１０７が連続して設けられている。仕切支持片１０６の側面１６側の側縁部には、糊付片１０８が折罫線１１０で区切られて設けられている。各切込線１０４の折罫線１００側の端部付近には、折罫線１００に対して直角な切込線１１２と、折罫線１００に対して離れるに従い側面１６側へ傾斜する切込線１１４が設けられている。
【００１９】
側面１８の、折罫線９２と反対側の端部には、第２底蓋片１１６が折罫線１１８で区切られて設けられている。第２底蓋片１１６は、折罫線１１８を下底とする台形状に形成され、折罫線１１８から折罫線１１８に対して平行な上底である端部１１６ａまでの長さは、包装用箱１０の組立状態で底部分の中心線付近に位置する長さである側面１６，２０の約半分の幅に設けられている。第２底蓋片１１６の、側面２０に隣接する傾斜した側縁部には、略三角形の底部糊付片１２０が折罫線１２２で区切られて設けられている。さらに、第２底蓋片１１６の端部１１６ａには、緩衝片１２４が折罫線１２６で区切られて設けられている。緩衝片１２４は、折罫線１２６を上底とする台形に形成され、高さは第２底蓋片１１６よりも小さい。折罫線１２６の途中には、緩衝片１２４側へ突出するコの字形の切込線１２８が設けられている。切込線１２８の内側部分は、包装用箱１０の組立状態で第２底蓋片１１６と面一に側方へ突出する差込片１３０となる。
【００２０】
側面２０の、側面１８の折罫線９２に隣接する端部には、台形状の上フラップ１３２が折罫線１３４で区切られて設けられている。側面２０の、折罫線１３４と反対側の端部には、略三角形状の底フラップ１３６が折罫線１３８で区切られて設けられている。
【００２１】
次に、この実施形態の包装用箱１０の組立方法の一例について説明する。なお、ここでは図２が包装用箱１０の箱体形成片１２の表面を見たものであり、箱体形成片１２の表面が凸になる折り方を正折り、そして裏面が凸になる折り方を逆折りと称する。
【００２２】
まず、折返片４０の裏面に糊１４０を塗布し、折返片９０の裏面に糊１４２を塗布する。そして、折罫線３８，９２を正折りし、折返片４０を中央仕切板３２に、返片９０を側面１８に接着する。次に糊付片１０８の表面に糊１４４を塗布し、折罫線１００を逆折りして、糊付片１０８を側面１６に接着する。仕切支持片４６の表面に糊１４８を塗布し、さらに仕切支持片１０６の裏面に糊１４６を塗布する。折罫線３４を正折りして仕切支持片４６を側面１４に接着する。
【００２３】
次に、折罫線７４，１２６を正折りして、さらに折罫線６６折罫線１１８を正折りすると同時に折罫線７０，１２２を逆折りし、底部糊付け片６８，１２０の裏面に糊１５０，１５２を塗布する。次に、糊付片２２の表面に糊１５３を塗布する。さらに、底フラップ８４，１３６を正折りし、折罫線２６，３０を正折りし、仕切構成部９８の仕切支持片１０６を中央仕切板３２に接着する。これにより、底フラップ１３６表面が底部糊付片１２０の裏面に糊付けされる。また、底フラップ８４の表面に底部糊付け片６８の裏面が糊付けされ、糊付け完了となる。
【００２４】
次に商品を収容し包装する工場等において、折罫線２４，２６，２８，３０を各々９０°に正折りして四角形の箱体にする。このとき、中央仕切板３２の側方の折罫線３４と、仕切支持片１０６側方の折罫線１１０は各々９０°に正折りされ、中央仕切板３２は側面１４，１８の間に、箱体の中心に沿って立設される。そして、中央仕切板３２裏面に取り付けられている仕切構成部３６の４個の仕切片４２は、切込線４８は９０°に正折りされ、４個の仕切片４２は中央仕切板３２に対して直角に立ち上がり、中央仕切板３２と側面１４との間の空間を５等分する。そして、中央仕切板３２表面に取り付けられている仕切構成部９８の４個の仕切片１０２は、折罫線１０７で９０°に逆折りされ切込線１１２で９０°に正折りされ、４個の仕切片１０２は中央仕切板３２に対して直角に立ち上がり、中央仕切板３２と側面１８との間の空間を５等分する。
【００２５】
包装用箱１０を箱体に組み立てるとき、第２底蓋片１１６と第２底蓋片１１６に接着されている底フラップ１３６は中央仕切板３２の表面を押しながら摺動して、中央仕切板３２に対して直角に起こされる。このとき、中央仕切板３２は折罫線５２から容易に正折りされ、第１底蓋片６４の動きに支障をきたさず、組み立ての際に抵抗がない。そして、第１底蓋片６４、第２底蓋片１１６は、各々側面１４，１８に対して直角に起こされ、第１底蓋片６４の差込片７８と第２底蓋片１１６の差込片１３０が互いに対向する第２底蓋片１１６または第１底蓋片６４にそれぞれ重ねられ、差込片７８，１３０の基端部どうしが係止され、底部が形成される。緩衝片７２，１２４は、各々第１底蓋片６４、第２底蓋片１１６に正折りして重ねられて底部の内側に二重の底を形成する。
【００２６】
そして、各仕切片で１０等分された空間に各々商品を収容する。上フラップ８０，１３２を各々折罫線８２，１３４で９０°に正折りし、折罫線５８，６２を９０°に正折りし、差込片６０を側面１８に裏面に折返片９０に沿って差し込む。折返片９０の破断線９４で囲まれた部分を差込片６０に糊付けしてもよい。
【００２７】
この実施形態の包装用箱１０によれば、簡単な作業工程により組み立てられ、箱体内に中央仕切板３２と、中央仕切板３２に対して直角で垂直方向に長い仕切りが複数個形成される。底部は、緩衝片７２，１２４が内側に重ねられて二重の底の状態となり、高い緩衝効果を得ることができる。そして、中央仕切板３２は一枚の大きな部材で形成されるため、上部で商品のガタツキを抑えることができる。緩衝片７２、緩衝片１２４は、糊付けせずに簡単に設け底部の緩衝効果を高めることができる。そして収容物に対して包装用箱１０の高さが大きくならず、コンパクトなものとなる。
【００２８】
次にこの発明の第二実施形態について図３、図４に基づいて説明する。なお、ここで、上記実施形態と同様の部材は同様の符号を付して説明を省略する。この実施形態の包装用箱１５４は、厚紙などの一枚のブランクシートを打ち抜いて形成された箱体形成片１５６を組み立てて形成されている。
【００２９】
図４は、箱体形成片１５６を表面から見た展開図であり、側面１４，１６，１８，２０が互いに平行に連接して設けられている。さらに側面１４の側縁部には糊付片２２が設けられている。糊付片２２、側面１４，１６，１８，２０は、各々折罫線２４，２６，２８，３０で区切られている。
【００３０】
側面１８の端部には、折返片１５８が折罫線１６０で区切られて設けられている。折返片１５８は、側面１８よりも少し小さい矩形である。折返片１５８の、折罫線１６０と反対側の端部１５８ａには、仕切構成部１６２が折罫線１６４で区切られて設けられている。仕切構成部１６２は、折罫線１６４から２個の逆くの字形の仕切片１６６が形成され、２個の仕切片１６６は互いに平行に隣接し、各仕切片１６６は切込線１６８で区切られている。切込線１６８は、折罫線１６４のほぼ中心から折罫線１６４に沿って形成され、そして曲線になって折罫線１６４から離れている。仕切片１６６の逆くの字形の屈曲部分には、折罫線１６４に対して直角な切込線１７０が各々設けられている。一対の仕切片１６６の端部には、一枚の矩形の仕切支持片１７２が設けられている。仕切支持片１７２は、一対の仕切片１６６の、側面１６側の側縁部に切込線１７４で区切られて設けられている。
【００３１】
側面１４，１８の第１底蓋片６４、第２底蓋片１１６に設けられている緩衝片７２，１２４には、均一に円形等の凹凸を型押ししたエンボス１２５が設けられている。
【００３２】
次に、この実施形態の包装用箱１５４の組立方法の一例について説明する。なお、ここでは図３が包装用箱１５４の箱体形成片１５６の表面を見たものであり、箱体形成片１５６の表面が凸になる折り方を正折り、そして裏面が凸になる折り方を逆折りと称する。
【００３３】
まず、折返片１５８の裏面に糊１７６を塗布し、折罫線１６０を正折りし、折返片１５８を側面１８に接着する。次に、折罫線１６４を逆折りして更に仕切支持片１７２の裏面に糊１７８を塗布する。次に、折罫線７４，１２６を正折りして更に折罫線６６，８６，１１８，１３８を正折りすると同時に折罫線７０，１２２を逆折りし底部糊付け片６８，１２０の裏面に糊１５０，１５２を塗布する。次に、糊付片２２の表面に糊１５３を塗布し、折罫線２６，３０を正折りして糊付け完了とする。
【００３４】
次に商品を収容し包装する工場等において、折罫線２４，２６，２８，３０を各々９０°に正折りして四角形の箱体にする。そして、仕切構成部１６２の２個の仕切片１６６は、切込線１７４で９０°に逆折りされ、切込線１７０で９０°に正折りされ、２個の仕切片１６６は側面１４，１８に対して直角に立ち上がり、箱体内の空間を３等分する。側面１６と仕切片１６６の間に小さい空間が区切られて形成されるが、ここに収容物の説明書等を入れてもよい。包装用箱１５４を箱体に組み立てるとき、第１底蓋片６４、第２底蓋片１１６は、各々側面１４，１８に対して直角に起こされ、第１底蓋片６４の差込片７８と第２底蓋片１１６の差込片１３０が互いに係合して底部が形成される。緩衝片７２，１２４は、各々第１底蓋片６４、第２底蓋片１１６に正折りして重ねられて底部の内側に二重の底を形成する。
【００３５】
そして、仕切片１６６で２等分された空間に各々商品を収容する。そして、上フラップ８０，１３２を各々折罫線８２，１３４で９０°に正折りし、折罫線５８，６２を９０°に正折りし、差込片６０を側面１８の裏面に折返片１５８に沿って差し込む。
【００３６】
この実施形態の包装用箱１５４によれば、第一実施形態と同様の効果を有するものである。そして底部は、緩衝片７２，１２４が内側に重ねられて二重の底となり、緩衝片７２，１２４にはエンボス１２５が設けられているため、より高い緩衝効果を得ることができる。
【００３７】
なお、この発明の包装用箱は、上記実施形態に限定されるものではなく、緩衝片の形状や大きさ、エンボスなどの加工形状の有無等、自由に変更可能である。仕切の形状も収容物の形状や数に合わせて適宜変更可能である。仕切片が無い包装用箱でもよく、底部に緩衝片のみを設けて垂直方向の緩衝性を高めてもよい。
【符号の説明】
【００３８】
１０  包装用箱
１２  箱体形成片
１４，１６，１８，２０  側面
２２  糊付片
３２  中央仕切板
３６  仕切構成部
６４  第１底蓋片
６８，１２０  底部糊付片
７４，１２６  折罫線
７２，１２４  緩衝片
７６，１２８  切込線
７８，１３０  差込片
８４，１３６  底フラップ
１１６  第２底蓋片
１２５  エンボス
【図１】
2012006645.tif 000003
【図２】
2012006645.tif 000004
【図３】
2012006645.tif 000005
【図４】
2012006645.tif 000006